(57)【要約】【課題】情報装置の省電力化を実現すること。【解決手段】本発明にかかる情報装置１は、読取手段としてＲＦＩＤ処理部３と光学情報読取部４とを備え、さらに、処理開始が指示された読取手段を処理可能状態とし、一方の読取手段を処理不可状態とする制御部１０とを備える。本発明にかかる情報装置１は、処理開始が指示された読取手段における読取処理の間、一方の読取手段を処理不可状態とするため、消費電力の低減を図ることが可能となる。【選択図】      図１
2005352768.tif 000002
【特許請求の範囲】
【請求項１】
情報記録媒体の情報を非接触で読み取る読取処理を行なう複数の読取手段を備えた情報装置において、
前記複数の読取手段の少なくとも一つに対して前記読取処理の開始を指示する指示情報を入力する入力手段と、
前記入力手段に入力された指示情報をもとに、前記読取処理の開始が指示された前記読取手段を処理可能状態とし、他の前記読取手段を処理不可状態とする制御手段と、
を備えたことを特徴とする情報装置。
【請求項２】
前記制御手段は、前記読取処理の開始を指示された前記読取手段における前記読取処理が開始してから該読取処理が終了するまでの読取期間の間、前記他の読取手段を処理不可状態とすることを特徴とする請求項１に記載の情報装置。
【請求項３】
前記複数の読取手段は、
所定周波数の電波を送受信するアンテナを有し、前記アンテナの送受信電波を介して、第１の前記情報記録媒体に対して前記読取処理を行なう第１の前記読取手段と、
前記第１の情報記録媒体と異なる種別である第２の前記情報記録媒体に対して光学的に前記読取処理を行なう第２の前記読取手段と、
を備えたことを特徴とする請求項１または２に記載の情報装置。
【請求項４】
前記入力手段は、
前記第１の読取手段に対して、前記読取処理の開始を指示する指示情報を入力する第１の処理入力手段と、
前記第２の読取手段に対して、前記読取処理の開始を指示する指示情報を入力する第２の処理入力手段と、
を備えたことを特徴とする請求項３に記載の情報装置。
【請求項５】
前記読取処理の完了と前記読取処理によって前記情報記録媒体から読み取った情報とを表示する表示手段を備えたことを特徴とする請求項１〜４のいずれか一つに記載の情報装置。
【請求項６】
前記第１の読取手段は、前記読取処理とともに、前記第１の情報記録媒体に対して非接触で情報を書き込む書込処理を行ない、
前記表示手段は、前記書込処理の完了と前記書込処理によって前記情報記録媒体に書込む情報とを表示することを特徴とする請求項５に記載の情報装置。
【発明の詳細な説明】
【技術分野】
【０００１】
この発明は、情報記録媒体の情報を非接触で読み取る読取処理を行なう複数の読取手段を備えた情報装置に関する。
【背景技術】
【０００２】
従来から、無線通信システムの１つとして、ＲＦＩＤ（Radio Frequency Identification）システムが開発されており、入退室管理、商品管理等に利用されている。ＲＦＩＤシステムでは、識別情報等を記憶するＲＦＩＤタグを管理対象に取り付け、専用の情報装置がＲＦＩＤタグに対して所定周波数の電波を用いて読取処理、書込処理を行なうことによって管理対象を管理している。
【０００３】
近年、ＲＦＩＤタグを読み取る情報装置として、ＲＦＩＤタグを読み取るＲＦＩＤ処理部のほかに、他の情報記録媒体を読み取る機能をさらに備えた情報装置が提案されている。このような情報装置として、たとえば、符号化された各種の情報を表示した光学情報記録媒体の情報を読み取る光学情報読取部をさらに備えた情報装置が開発されている（特許文献１参照）。光学情報読取部は、光学情報記録媒体に対して撮像処理を行い、得られた画像情報を解読することによって光学情報記録媒体の記録内容を読み取る。
【０００４】
【特許文献１】特開２００１−２２９３３７号公報
【発明の開示】
【発明が解決しようとする課題】
【０００５】
ところで、近年、特に携帯型の情報装置に対して、装置の小型化が求められており、これにともない情報装置の省電力化が必要とされている。しかしながら、従来の情報装置は、操作者の入力指示にしたがってＲＦＩＤ処理部と光学情報読取部とを同時に起動させている。このため、従来の情報装置では、ＲＦＩＤ処理部と光学情報処理部とによって消費される電力が多くなり、省電力化に支障をきたしていた。この結果、情報装置に搭載される電池の小型化が困難であり、情報装置の小型化を図ることができないという問題があった。
【０００６】
この発明は、上記した従来技術の欠点に鑑みてなされたものであり、複数の読取手段が同時に起動する場合であっても、省電力化を実現する情報装置を提供することを目的とする。
【課題を解決するための手段】
【０００７】
上述した課題を解決し、目的を達成するために、この発明にかかる情報装置は、情報記録媒体の情報を非接触で読み取る読取処理を行なう複数の読取手段を備えた情報装置において、前記複数の読取手段の少なくとも一つに対して前記読取処理の開始を指示する指示情報を入力する入力手段と、前記入力手段に入力された指示情報をもとに、前記読取処理の開始が指示された前記読取手段を処理可能状態とし、他の前記読取手段を処理不可状態とする制御手段と、を備えたことを特徴とする。
【０００８】
また、この発明にかかる情報装置は、前記制御手段は、前記読取処理の開始を指示された前記読取手段における前記読取処理が開始してから該読取処理が終了するまでの読取期間の間、前記他の読取手段を処理不可状態とすることを特徴とする。
【０００９】
また、この発明にかかる情報装置は、前記複数の読取手段は、所定周波数の電波を送受信するアンテナを有し、前記アンテナの送受信電波を介して、第１の前記情報記録媒体に対して前記読取処理を行なう第１の前記読取手段と、前記第１の情報記録媒体と異なる種別である第２の前記情報記録媒体に対して光学的に前記読取処理を行なう第２の前記読取手段と、を備えたことを特徴とする。
【００１０】
また、この発明にかかる情報装置は、前記入力手段は、前記第１の読取手段に対して、前記読取処理の開始を指示する指示情報を入力する第１の処理入力手段と、前記第２の読取手段に対して、前記読取処理の開始を指示する指示情報を入力する第２の処理入力手段と、を備えたことを特徴とする。
【００１１】
また、この発明にかかる情報装置は、前記読取処理の完了と前記読取処理によって前記情報記録媒体から読み取った情報とを表示する表示手段を備えたことを特徴とする。
【００１２】
また、この発明にかかる情報装置は、前記第１の読取手段は、前記読取処理とともに、前記第１の情報記録媒体に対して非接触で情報を書き込む書込処理を行ない、前記表示手段は、前記書込処理の完了と前記書込処理によって前記情報記録媒体に書込む情報とを表示することを特徴とする。
【発明の効果】
【００１３】
本発明にかかる情報装置によれば、読取処理の開始が指示された読取手段を処理可能とし、他の読取手段を処理不可状態とすることによって、複数の読取手段における読取処理の同時処理に起因する消費電力の増大を防止することができ、情報装置全体の消費電力を低減することができる。このため、本発明にかかる情報装置によれば、情報装置に搭載される電池の小型化が可能となり、情報装置の小型化を実現することができる。
【発明を実施するための最良の形態】
【００１４】
以下、図面を参照して、この発明の実施の形態である情報装置について説明する。なお、この実施の形態によりこの発明が限定されるものではない。また、図面の記載において、同一部分には同一の符号を付している。
【００１５】
（実施の形態）
まず、実施の形態にかかる情報装置について説明する。本実施の形態にかかる情報装置は、読取部としてＲＦＩＤ読取部と光学情報読取部とを備え、制御部の制御のもと、読取処理の開始が指示された読取部が処理可能状態とされて読取処理を行なっている間、他の読取部は所定不可状態とされる。
【００１６】
図１は、本実施の形態にかかる情報装置の概略構成を示すブロック図である。また、図２は、本実施の形態にかかる情報装置の平面図を例示する図である。図１に示すように、実施の形態にかかる情報装置１は、指示情報が入力される入力部２と、ＲＦＩＤタグの情報を読み書きするＲＦＩＤ処理を行なうＲＦＩＤ処理部３と、光学情報記録媒体の情報を読み取る光学情報読取処理を行なう光学情報読取部４と、各種情報を表示出力する表示部５と、外部装置との間の情報通信を処理する外部通信部６と、音声処理を行なう音声入出力部７と、ストレージデバイス８と、各種情報が記憶された記憶部９と、各構成部位を制御する制御部１０とを有する。入力部２は、ＲＦＩＤ処理入力部２ａと光学処理入力部２ｂとを備える。ＲＦＩＤ処理部３は、アンテナ３ａを備える。制御部１０は、ＲＦＩＤ処理と光学情報読取処理とを切替える切替え部１０ａを備える。入力部２、ＲＦＩＤ処理部３、光学情報読取部４、表示部５、外部通信部６、音声入出力部７、ストレージデバイス８および記憶部９は、制御部１０に電気的に接続される。また、制御部１０は、入力部２、ＲＦＩＤ処理部３、光学情報読取部４、表示部５、外部通信部６、音声入出力部７、ストレージデバイス８、記憶部９および切替え部１０ａを制御する。また、ＲＦＩＤ処理部３は、アンテナ３ａを制御する。なお、ＲＦＩＤタグとは、所定周波数の応答要求電波に応じて、蓄積した識別情報等の各種情報に対応する応答電波を送信する情報記録媒体であり、ＲＦＩＤタグが蓄積する各種情報は、所定周波数の電波を介して、読出しが可能であるとともに、書き込み、書き換えが可能である。また、光学情報記録媒体とは、光学情報記録媒体は、符号化された各種の情報を表示した情報記録媒体である。
【００１７】
入力部２は、情報装置１の動作指示および情報装置１が行なう処理の指示情報を入力し、各指示情報の入力を受け付けるとともに受け付けた指示情報の内容を制御部１０に送出する。入力部２は、たとえば、図２に示すように、指示情報を入力する複数の入力キーである入力ボタン２１を有し、入力ボタン２１から入力された各指示情報の内容を制御部１０に入力する。
【００１８】
入力部２は、ＲＦＩＤ処理の開始を指示する指示情報を入力するＲＦＩＤ処理入力部２ａと光学情報読取処理の開始を指示する指示情報を入力する光学処理入力部２ｂとを備える。ここで、ＲＦＩＤタグ処理入力部２ａは、図２に示すように、たとえば情報装置の右側面に設けられたＲＦＩＤ処理入力スイッチ２２を備えており、このＲＦＩＤ処理入力スイッチ２２が押下されることによって、ＲＦＩＤ処理の開始の指示を受け付ける。また、光学処理入力部２ｂは、図２に示すように、たとえば情報装置の左側面に設けられた光学処理入力スイッチ２３を備えており、この光学処理入力スイッチ２３が押下されることによって、光学情報読取処理の開始の指示を受け付ける。
【００１９】
ＲＦＩＤ処理部３は、制御部１０の制御のもと、所定周波数の電波を送信してＲＦＩＤタグに電力供給を行なうとともに、所定周波数の電波を介してＲＦＩＤタグの情報を読み書きするＲＦＩＤ処理を行なう。ＲＦＩＤ処理として、ＲＦＩＤ読取処理およびＲＦＩＤ書込処理がある。
【００２０】
ＲＦＩＤ読取処理においては、ＲＦＩＤ処理部３は、制御部１０の制御のもと、ＲＦＩＤタグの識別情報等を取得するために、ＲＦＩＤタグに対して応答を求める指示に対応した電気信号を必要に応じて増幅、変調し、アンテナ３ａに送出する。そして、ＲＦＩＤ処理部３は、アンテナ３ａに対して、この電気信号に対応する応答要求電波を送信させるよう制御する。また、ＲＦＩＤ処理部３は、アンテナ３ａを介して、ＲＦＩＤタグからの応答電波を受信する。そして、この応答電波に対応する電気信号を必要に応じて復調し、ＲＦＩＤタグに記録された識別情報等を取得する。そして、ＲＦＩＤ処理部３は、取得した識別情報等を制御部１０に送出し、非接触によるＲＦＩＤ読取処理を達成する。ＲＦＩＤ書込処理においては、ＲＦＩＤ処理部３は、制御部１０の制御のもと、ＲＦＩＤタグに対して情報を書き込むために、ＲＦＩＤタグに対して情報の書込みを求める指示に応じた電気信号を必要に応じて増幅、変調し、アンテナ３ａに送出する。そして、ＲＦＩＤ処理部３は、アンテナ３ａに対して、この電気信号に対応する電波を送信させて、ＲＦＩＤタグに対して非接触によるＲＦＩＤ書込処理を行なう。
【００２１】
アンテナ３ａは、ＲＦＩＤ処理部３の制御のもと、通信エリア内に存在するＲＦＩＤタグとの間において、所定周波数の電波を送受信する。アンテナ３ａは、ＲＦＩＤ処理部３から入力された電気信号に対応する所定の電波をＲＦＩＤタグに対して送信する。また、アンテナ３ａは、ＲＦＩＤタグから送信された応答電波を受信し、受信した応答電波に対応する電気信号をＲＦＩＤ処理部３に送出する。
【００２２】
光学情報読取部４は、ＣＣＤ（Charge Coupled Diode）、ＣＭＯＳ（Complementary Metal Oxide Semiconductor）等と、結像した入力光を電気信号に変換する光電変換部と、光電変換部からの入射光を結像させる光学系とを備え、光学情報記録媒体を撮像処理し、撮像処理によって得られた画像情報を解読して、光学情報記録媒体の情報を読み取る光学情報読取処理を行なう。また、光学情報読取部４は、光学情報記録媒体に対して赤外光または可視光を送信する半導体レーザ素子または発光ダイオード等の光源と、この光学情報記録媒体からの反射光を受信するフォトセンサ等の受光素子とを備え、受信した光を処理することによって、光学情報記録媒体の情報を取得してもよい。
【００２３】
表示部５は、たとえば、液晶表示装置（Liquid Crystal Display : ＬＣＤ）、有機エレクトロルミネッセンス表示装置、電流が供給される間発光を継続する発光ダイオード（Light emitting diode : ＬＥＤ）を有し、制御部１０の制御のもと、各種情報をたとえば図２に示す表示領域５ａに表示出力する。表示部５の表示出力情報として、たとえば、ＲＦＩＤ読取処理、光学情報読取処理およびＲＦＩＤ書込処理の完了のほか、ＲＦＩＤ読取処理および光学情報読取処理において読み取られた識別情報等、ＲＦＩＤタグに書き込む書込情報等がある。また、表示部５は、情報装置１に処理動作に関するエラーが発生した場合に、制御部１０の制御のもと、このエラーを報知する所定のエラー表示を表示出力してもよい。また、光学情報読取部４が光学情報記録媒体を撮像するように機能する場合、表示部５は、制御部１０における制御のもと、光学情報読取部４によって撮像された画像情報を表示出力する場合もある。
【００２４】
外部通信部６は、ＲＳ２３２Ｃ、ＵＳＢ、またはＩＥＥＥ１３９４等の外部通信用インターフェース、あるいはＩｒＤＡ規格に準拠した赤外線通信インターフェース等を用いて実現され、外部のホストコンピュータ（図示せず）等に対する情報通信を行う。
【００２５】
音声入出力部７は、マイクロフォンおよびスピーカーを用いて実現される。音声入出力部７は、制御部１０の制御のもと、外部からの音声情報を入力するとともに、入力した音声情報を制御部１０に送出する。また、音声入出力部７は、制御部１０の制御のもと、制御部１０から入力された音声情報を外部に出力する。なお、音声入出力部７は、制御部１０の制御のもと、各構成部位による処理の開始または完了を報知する所定の報知音を出力し、または、情報装置１において処理動作に関するエラーが発生した場合に、制御部１０の制御のもと、このエラーを報知する所定のエラー音を出力してもよい。
【００２６】
ストレージデバイス８は、制御部１０の制御のもと、外部から挿入されたスマートメディア、メモリスティック、マルチメディアカード、またはＳＤメモリカード等の記憶媒体を駆動させて、記憶媒体に記憶される情報を読み取る。さらに、ストレージデバイス８は、制御部１０の制御のもと、制御部１０から入力された情報を記憶媒体に対して記録するように機能してもよい。なお、記憶媒体は、ストレージデバイス８に対して着脱可能である。
【００２７】
記憶部９は、処理プログラム等の各種データが予め記憶されたＲＯＭ（Read Only Memory）と、各処理の演算パラメータ、情報記録媒体から読み取られた各種情報、あるいは音声情報等を記憶するＲＡＭ（Random Access Memory）とを用いて実現される。
【００２８】
制御部１０は、記憶部９に記憶された処理プログラムを実行するＣＰＵ（Central Processing Unit）を備える。また、制御部１０は、入力部２、ＲＦＩＤ処理部３、光学情報読取部４、表示部５、外部通信部６、音声入出力部７、ストレージデバイス８、記憶部９および切替え部１０ａの各処理または動作を制御する。この場合、制御部１０は、これらの各構成部位に入出力される情報について所定の入出力制御を行い、かつ、この情報に対して所定の情報処理を行う。制御部１０は、外部通信部６を介して、ＲＦＩＤ処理部３または光学情報読取部４から入力された情報を外部のホストコンピュータに送出し、その後、このホストコンピュータによって情報処理がなされた情報を受信してもよい。
【００２９】
制御部１０は、ＲＦＩＤ処理入力部２ａからＲＦＩＤ処理の開始を指示する指示情報が入力された場合、ＲＦＩＤ処理部３を処理可能状態とするともに、光学情報読取部４を処理不可状態とする。一方、制御部１０は、光学処理入力部２ｂから光学情報読取処理の開始を指示する指示情報が入力された場合、光学情報読取部４の処理可能状態とするとともに、ＲＦＩＤ処理部３を処理不可状態とする。制御部１０は、切替え部１０ａに対して、ＲＦＩＤ処理部３または光学情報読取部４の切替えを行なわせることによって、ＲＦＩＤ処理部３および光学情報読取部４を処理可能状態または処理不可状態とする。制御部１０は、切替え部１０ａに対して、所定の処理信号および禁止信号を送信して、ＲＦＩＤ処理部３または光学情報読取部４の切替えを指示する。
【００３０】
切替え部１０ａは、制御部１０の制御のもと、ＲＦＩＤ処理部３および光学情報読取部４を切替える機能を備える。切替え部１０ａがＲＦＩＤ処理部３に切替えた場合には、ＲＦＩＤ処理部３が処理動作を行なうことができ、光学情報読取部４は処理動作を行なうことができない。一方、切替え部１０ａが、光学情報読取部４に切替えた場合には、光学情報読取部４が処理動作を行なうことができ、ＲＦＩＤ処理部３は処理動作を行なうことができない。切替え部１０ａは、制御部１０から送信された所定の処理信号および禁止信号を受信することによって、ＲＦＩＤ処理部３または光学情報読取部４の切替え制御を行なう。
【００３１】
つぎに、情報装置１が行なう処理のうち、ＲＦＩＤ処理部３または光学情報読取部４において行なわれる読取処理の処理手順について説明する。図３は、情報装置１がＲＦＩＤ処理または光学情報読取処理を完了するまでの処理手順を示すフローチャートである。
【００３２】
図３に示すように、まず、制御部１０は、ＲＦＩＤ処理入力部２ａまたは光学処理入力部２ｂから指示情報が入力されたか否かを判断する（ステップＳ１０２）。指示情報が入力されない場合には（ステップＳ１０２：Ｎｏ）、ステップＳ１０２の判断を繰り返す。
【００３３】
そして、制御部１０は、指示情報が入力されたと判断した場合には（ステップＳ１０２：Ｙｅｓ）、入力された指示情報がＲＦＩＤ処理または光学情報読取処理を指示するかを判断する（ステップＳ１０４）。
【００３４】
制御部１０は、指示情報が指示する処理がＲＦＩＤ処理であると判断した場合には（ステップＳ１０４：ＲＦＩＤ処理）、ＲＦＩＤ処理部３に対して、ＲＦＩＤ処理の開始を指示する（ステップＳ１０６）。次いで、制御部１０は、指示情報の指示に対応しない光学情報読取部４に対して、光学情報読取処理の禁止を指示する（ステップＳ１０８）。制御部１０は、ＲＦＩＤ処理部３に対してＲＦＩＤ処理を行なうよう処理制御を行い、ＲＦＩＤ処理部３は、ＲＦＩＤ処理を行なう（ステップＳ１１０）。制御部１０は、ＲＦＩＤ処理部３におけるＲＦＩＤ処理が終了したか否かを判断し（ステップＳ１１２）、ＲＦＩＤ処理が終了するまでステップＳ１１２の判断を繰り返す。制御部１０は、ＲＦＩＤ処理部３におけるＲＦＩＤ処理が終了したと判断した場合には（ステップＳ１１２：Ｙｅｓ）、光学情報読取処理の禁止を解除する（ステップＳ１１４）。
【００３５】
これに対して、制御部１０は、指示情報が指示する処理が光学情報読取処理であると判断した場合には（ステップＳ１０４：光学情報読取処理）、光学情報読取部４に対して光学情報読取処理の開始を指示する（ステップＳ１１６）。次いで、制御部１０は、指示情報の指示に対応しないＲＦＩＤ処理部３に対して、ＲＦＩＤ処理の禁止を指示する（ステップＳ１１８）。制御部１０は、光学情報読取部４に対して光学情報読取処理を行なうよう処理制御を行い、光学情報読取部４は、光学情報読取処理を行なう（ステップＳ１２０）。制御部１０は、光学情報読取部４における光学情報読取処理が終了したか否かを判断し（ステップＳ１２２）、光学情報読取処理が終了するまでステップＳ１２２の判断を繰り返す。制御部１０は、光学情報読取部４における光学情報読取処理が終了したと判断した場合には（ステップＳ１２２：Ｙｅｓ）、ＲＦＩＤ処理の禁止を解除する（ステップＳ１２４）。
【００３６】
そして、制御部１０は、新たな指示情報が入力されたか否かを判断し（ステップＳ１２６）、新たな指示情報が入力されたと判断した場合には（ステップＳ１２６：Ｙｅｓ）、ステップＳ１０４に戻り、上述した処理と同様の処理を行なう。一方、制御部１０は、新たな指示情報が入力されていないと判断した場合には（ステップＳ１２６：Ｎｏ）、処理動作を終了する。
【００３７】
このように、情報装置１では、制御部１０は、指示情報が指示する処理を行なう処理部が読取処理等を行なっている間、他方の読取部に処理の禁止を指示して処理不可状態としている。
【００３８】
具体的に、図４を用いて説明する。図４は、制御部１０が受信する信号と制御部１０が送信する信号とのタイミングチャートである。図４（ａ）にＲＦＩＤ処理開始信号のタイミングチャートを示し、図４（ｂ）にＲＦＩＤ処理信号のタイミングチャートを示し、図４（ｃ）に光学処理禁止信号のタイミングチャートを示し、図４（ｄ）に光学処理開始信号のタイミングチャートを示し、図４（ｅ）に光学処理信号のタイミングチャートを示し、図４（ｆ）にＲＦＩＤ処理禁止信号のタイミングチャートを示す。ＲＦＩＤ処理開始信号は、ＲＦＩＤ処理の開始を指示するためにＲＦＩＤ処理入力部２ａが制御部１０に入力する信号である。ＲＦＩＤ処理信号は、ＲＦＩＤ処理部３への切替えを指示するために制御部１０が切替え部１０ａに送信する信号である。光学処理禁止信号は、光学情報読取部４への切替えを禁止するために制御部１０が切替え部１０ａに送信する信号である。光学処理開始信号は、光学情報読取処理の開始を指示するために光学処理入力部２ｂが制御部１０に入力する信号である。光学処理信号は、光学情報読取部４への切替えを指示するために制御部１０が切替え部１０ａに送信する信号である。ＲＦＩＤ処理禁止信号は、ＲＦＩＤ処理部３への切替えを禁止するために制御部１０が切替え部１０ａに送信する信号である。
【００３９】
図４に示すように、制御部１０は、期間Ｔａの間、指示情報が入力されたか否かの判断を繰り返し（ステップＳ１０２）、図４（ａ）に示すように、ＲＦＩＤ処理開始信号が入力されオン状態となった場合には、指示情報が入力されたと判断して（ステップＳ１０２：Ｙｅｓ）、入力された開始信号がＲＦＩＤ処理または光学情報読取処理のいずれの処理の開始を指示するか否かを判断する（ステップＳ１０４）。
【００４０】
まず、図４（ａ）に示すように、制御部１０にはＲＦＩＤ処理開始信号が入力されているため、制御部１０は、ＲＦＩＤ処理の開始が指示されたと判断する（ステップＳ１０４：ＲＦＩＤ処理）。このため、制御部１０は、図４（ｂ）に示すように、ＲＦＩＤ処理部３に対するＲＦＩＤ処理信号の送信をオン状態として、切替え部１０ａに対してＲＦＩＤ処理信号を送信する。切替え部１０ａは、ＲＦＩＤ処理信号を受信することによって、ＲＦＩＤ処理部３に切替え、ＲＦＩＤ処理信号を受信する間、ＲＦＩＤ処理部３への切替えを継続する。このように、制御部１０は、切替え部１０ａにＲＦＩＤ処理信号を送信してＲＦＩＤ処理部３に切替えさせることによって、ＲＦＩＤ処理の開始を指示する（ステップＳ１０６）。
【００４１】
さらに、図４（ｃ）に示すように、制御部１０は、ＲＦＩＤ処理信号の送信期間Ｔｂの間、光学処理禁止信号の送信をオン状態として、切替え部１０ａに対して光学処理禁止信号を送信する。切替え部１０ａは、光学処理禁止信号を受信する間、光学情報読取部４の切替えは行なわない。このように、制御部１０は、切替え部１０ａに対して、光学処理禁止信号を送信して光学情報読取部４に切替えを禁止することによって、光学情報読取処理の禁止を指示する（ステップＳ１０８）。
【００４２】
次いで、制御部１０は、ＲＦＩＤ処理の終了（ステップＳ１１２：Ｙｅｓ）によってＲＦＩＤ処理信号をオフ状態として、切替え部１０ａに対してＲＦＩＤ処理部３への切替えを解除する。また、光学処理禁止信号の送信をオフ状態として、切替え部１０ａに対して光学情報読取部４の切替え禁止を解除する（ステップＳ１１４）。
【００４３】
このように、制御部１０は、ＲＦＩＤ処理が行なわれる期間Ｔｂの間、切替え部１０ａに対して光学処理禁止信号を送信して、光学情報読取部４への切替えを禁止している。また、たとえば、図４の期間Ｔｅの間に光学処理入力部２ｂから光学処理開始信号が入力された場合であっても、制御部１０は、切替え部１０ａへの光学処理禁止信号の送信を継続しているため、切替え部１０ａは、ＲＦＩＤ処理中に光学情報読取部４に切替えることはない。したがって、情報装置１では、ＲＦＩＤ処理中に光学情報読取部４の処理動作が行なわれることはない。
【００４４】
同様に、制御部１０は、光学情報読取処理が指示された場合も、切替え部１０ａにＲＦＩＤ処理禁止信号を送信することによって、切替え部１０ａにおけるＲＦＩＤ処理部３への切替えを禁止している。具体的には、図４（ｄ）に示すように、期間Ｔｃ後に、光学処理開始信号の入力によって、制御部１０は、光学情報読取処理の開始を指示されたと判断した場合には（ステップＳ１０４：光学情報読取処理）、図４（ｅ）に示すように、切替え部１０ａに対して光学処理信号を送信して光学情報読取部４の切替えを指示する。この結果、切替え部１０ａは、光学情報読取部４に切替えを行なう。また、制御部１０は、図４（ｆ）に示すように、光学処理信号を送信する期間Ｔｄの間、切替え部１０ａに対するＲＦＩＤ処理禁止信号を送信して、切替え部１０ａに対して、ＲＦＩＤ処理部３の切替えを禁止する。この結果、切替え部１０ａは、ＲＦＩＤ処理禁止信号を受信する間、ＲＦＩＤ処理部３への切替えは行なわない。制御部１０は、光学情報読取処理の終了（ステップＳ１２２：Ｙｅｓ）によって、ＲＦＩＤ処理信号を停止するとともに、ＲＦＩＤ処理禁止信号の送信を停止することによって、ＲＦＩＤ処理部３への切替え禁止を解除する（ステップＳ１２４）。この結果、切替え部１０ａでは、ＲＦＩＤ処理部３への切替え禁止が解除される。したがって、情報装置１では、光学情報読取処理中にＲＦＩＤ処理部３の処理動作が行なわれることはない。
【００４５】
このように、情報装置１では、制御部１０が、ＲＦＩＤ処理部３および光学情報読取部４のうち、処理開始が指示された読取手段を処理可能状態とするとともに、他の読取手段を処理不可状態としている。このため、ＲＦＩＤ処理部３と光学情報読取部４は同時に処理動作せず、ＲＦＩＤ処理部３と光学情報読取部４との同時動作に起因する消費電力の増加を防止することができる。したがって、消費電力の低減が可能となり、情報装置１全体の省電力化を図ることができる。この結果、情報装置１に搭載される電池を小型化することが可能となり、情報装置１の小型化を実現することができる。
【００４６】
なお、制御部１０は、図２に示すＲＦＩＤ処理入力スイッチ２２が押下される間、すなわち、ＲＦＩＤ処理入力部２ａからのＲＦＩＤ処理開始信号の送信が継続する間、ＲＦＩＤ処理部３を処理可能状態とし光学情報読取部４を処理不可状態としてもよい。そして、制御部１０は、光学処理入力スイッチ２３が押下される間、すなわち、光学処理入力部２ｂから光学処理開始信号の送信が継続する間、光学情報読取部４を処理可能状態としＲＦＩＤ処理部３を処理不可状態としてもよい。また、制御部１０は、ＲＦＩＤ処理入力スイッチ２２が一度押下されてＲＦＩＤ処理が行なわれている間に、光学処理入力スイッチ２３が押下されて光学処理開始信号が入力された場合には、ＲＦＩＤ処理後に光学情報読取処理を行なうとしてもよい。そして、制御部１０は、光学処理入力スイッチ２３が一度押下されて光学情報読取処理が行なわれている間に、ＲＦＩＤ処理入力スイッチ２２が押下されてＲＦＩＤ処理開始信号が入力された場合には、光学情報読取処理後にＲＦＩＤ処理を行なうとしてもよい。
【００４７】
また、図５に示すように、ＲＦＩＤ処理入力部２ａおよび光学処理入力部２ｂとして切替えスイッチ２４を設けてもよい。図５は、情報装置１の右側面を例示した図である。この場合、たとえば、図５に示すように、切替えスイッチ２４が上方向に移動したときにＲＦＩＤ処理の開始が入力される。また、切替えスイッチ２４が下方向に移動したときに光学情報読取処理の開始が入力される。このような切替えスイッチ２４を設け、切替えスイッチ２４がいずれかの方向に移動することによって、ＲＦＩＤモードまたは光学情報読取処理モードを入力してもよい。また、情報装置１は、図５に示すように、切替えスイッチ２４の移動によって、機械的にＲＦＩＤ処理部３と切替え部１０ａとを接続してもよく、また、光学情報読取部４と切替え部１０ａとを接続してもよい。
【００４８】
また、図６に示すように、二次電池１０２と電圧検出部１０３とをさらに設けた情報装置１０１でもよい。二次電池１０２は、外部からの電力供給によって充電され、この結果、二次電池１０２の端子電圧はもとの電圧まで回復する。また、電圧検出部１０３は、二次電池１０２の端子電圧の値を測定し、測定した端子電圧値を制御部１０に送出する。
【００４９】
この場合、制御部１０は、電圧検出部１０３の測定電圧値がＲＦＩＤ処理または光学情報読取処理のいずれか処理動作に必要な電圧値に達していない場合には、処理動作に必要な電圧値に達していない処理の開始を禁止する。たとえば、ＲＦＩＤ処理部３におけるＲＦＩＤ処理に必要な電圧値がＶａ[Ｖ]であり、光学情報読取部４における光学情報読取処理に必要な電圧値がＶｂ（＜Ｖａ）[Ｖ]であって、電圧検出部１０３の測定電圧値がＶｂ[Ｖ]である場合には、制御部１０は、ＲＦＩＤ処理部３を処理不可状態とし、ＲＦＩＤ処理の開始を禁止する。また、電圧検出部１０３の測定電圧値がＶｂ[Ｖ]を下回った場合には、さらに光学情報読取部４を処理不可状態とし、光学情報読取処理の開始を禁止する。このように、情報装置１０１では、電圧検出部１０３が二次電池１０２の端子電圧値を検出して、制御部１０は、この測定電圧値に応じてＲＦＩＤ処理部３および光学情報読取部４を処理不可状態としている。この結果、処理動作中における供給電力の不足に起因する不安定な処理動作を回避することができる。
【００５０】
また、実施の形態では、ＲＦＩＤ処理部３および光学情報読取部４を備えた情報装置１，１０１について説明したが、これに限らず、ＲＦＩＤ処理部３が用いる周波数と異なる周波数の電波を介して情報記録媒体との間で無線通信を行なう無線通信処理部をさらに備えた情報装置に適用してもよい。このような情報装置も同様に、処理開始を指示された処理部を処理可能状態とし、他の処理部を処理不可状態とすることによって、情報装置全体で消費される電力を低減することが可能となる。
【図面の簡単な説明】
【００５１】
【図１】実施の形態にかかる情報装置の概略構成を示すブロック図である。
【図２】実施の形態にかかる情報装置の平面図である。
【図３】実施の形態にかかる情報装置がＲＦＩＤ処理または光学情報読取処理を完了するまでの処理手順を示すフローチャートである。
【図４】実施の形態にかかる情報装置の制御部が送受信する信号のタイミングチャートである。
【図５】実施の形態にかかる情報装置の右側面図である。
【図６】実施の形態にかかる情報装置の概略構成の他の例を示すブロック図である。
【符号の説明】
【００５２】
１、１０１  情報装置
２  入力部
２ａ  ＲＦＩＤ処理入力部
２ｂ  光学処理入力部
３  ＲＦＩＤ処理部
３ａ  アンテナ
４  光学情報読取部
５  表示部
５ａ  表示領域
６  外部通信部
７  音声入出力部
８  ストレージデバイス
９  記憶部
１０  制御部
１０ａ  切替え部
２１  入力ボタン
２２  ＲＦＩＤ処理入力スイッチ
２３  光学処理入力スイッチ
２４  切替えスイッチ
１０２  二次電池
１０３  電圧検出部
【図１】
2005352768.tif 000003
【図２】
2005352768.tif 000004
【図３】
2005352768.tif 000005
【図４】
2005352768.tif 000006
【図５】
2005352768.tif 000007
【図６】
2005352768.tif 000008